(57)【要約】【課題】過大な球圧がかかっても球詰りすることなくパチンコ球がスムーズに流下するようにしたパチンコ遊技機を提供する。【解決手段】パチンコ球が非整列状態で流下する球通路８１と、前記球通路８１の少なくとも一側壁９８ａ〜９８ｄに臨むように設けた整流板８４と、前記整流板８４を可動させる電気的駆動源８５とを備え、パチンコ球と接触する前記整流板８４の内面を前記電気的駆動源８５の駆動により前記側壁９８ａ〜９８ｄ面内で可動するほぼ平坦面に形成したことを特徴とする。【選択図】図１４
2005185762.tif 000002
【特許請求の範囲】
【請求項１】
パチンコ球が非整列状態で流下する球通路と、前記球通路の少なくとも一側壁に臨むように設けた整流板と、前記整流板を可動させる電気的駆動源とを備え、パチンコ球と接触する前記整流板の内面を前記電気的駆動源の駆動により前記側壁面内で可動するほぼ平坦面に形成したことを特徴とするパチンコ遊技機。
【請求項２】
パチンコ球が単列又は半複列で流下し得る幅員を有すると共にパチンコ球が積み重なって流下する高さを有する球通路と、前記球通路の少なくとも一側壁に臨むように設けた整流板と、前記整流板を可動させる電気的駆動源とを備え、前記整流板を前記球通路の高さ又は幅員が減少する部位に設けると共にパチンコ球と接触する前記整流板の内面をほぼ平坦面に形成し、前記電気的駆動源の駆動により前記整流板を前記平坦面とほぼ平行に可動させるようにしたことを特徴とするパチンコ遊技機。
【請求項３】
パチンコ球が単列又は半複列で流下し得る幅員を有するように仕切壁により複数条に区画された球通路と、前記仕切壁に臨むように設けた整流板と、前記整流板を可動させる電気的駆動源とを備え、パチンコ球と接触する前記整流板の内面をほぼ平坦面に形成し、前記電気的駆動源の駆動により前記整流板を前記平坦面とほぼ平行に可動させるようにしたことを特徴とするパチンコ遊技機。
【請求項４】
パチンコ球が単列又は半複列で流下し得る幅員を有しかつパチンコ球が多段に重なって流下する球通路と、前記球通路の側方に位置して下流側で該球通路と合流する補助通路と、前記球通路と補助通路の合流部の上方を覆うように設けられる整流板と、前記整流板を可動させる電気的駆動源とを備え、パチンコ球と接触する前記整流板の内面をほぼ平坦面に形成し、前記電気的駆動源の駆動により前記整流板を前記平坦面とほぼ平行に可動させるようにしたことを特徴とするパチンコ遊技機。
【請求項５】
球導出口を開設した球タンクと、前記球導出口から流出したパチンコ球を球払出装置に導く球通路と、前記球導出口の下方に位置する球通路の下側壁に臨むように設けた整流板と、前記整流板を可動させる電気的駆動源とを備え、パチンコ球と接触する前記整流板の内面をほぼ平坦面に形成し、前記電気的駆動源の駆動により前記整流板を前記下側壁面内で前記平坦面とほぼ平行に可動させるようにしたことを特徴とするパチンコ遊技機。
【請求項６】
球導出口を下流端に開設した球タンクと、前記球導出口から流出したパチンコ球を球払出装置に導く球通路と、前記球導出口の開口端部であり前記球タンクの下流部側壁に臨むように設けた整流板と、前記整流板を可動させる電気的駆動源とを備え、パチンコ球と接触する前記整流板の内面をほぼ平坦面に形成し、前記電気的駆動源の駆動により前記整流板を前記側壁面内で前記平坦面とほぼ平行に可動させるようにしたことを特徴とするパチンコ遊技機。
【請求項７】
前記電気的駆動源はモータであり該モータの駆動により前記整流板を回転動させるようにしたことを特徴とする請求項１乃至６のいずれかに記載のパチンコ遊技機。
【請求項８】
前記電気的駆動源はソレノイドであり該ソレノイドの駆動により前記整流板を往復動させるようにしたことを特徴とする請求項１乃至６のいずれかに記載のパチンコ遊技機。
【発明の詳細な説明】
【技術分野】
【０００１】
本発明は、パチンコ遊技機に関するものであり、特に所定数のパチンコ球を払出す球払出装置にパチンコ球を供給する球通路を備えたパチンコ遊技機に関するものである。
【背景技術】
【０００２】
従来、パチンコ遊技機には、球通路の上面に下流側を軸支した整流板が揺動自在に設けられ、その整流板の荷重によって球通路を多段に積み重なって流下するパチンコ球を押さえ込んで整流するようにしていた（例えば、特許文献１参照。）。
【０００３】
また、機構板に突設した横軸に一端に重錘が設けられた球均しを球通路に垂下して揺動自在に設け、球通路を流下するパチンコ球を球均しの側面で受け止めて整流するものが知られている（例えば、特許文献２参照。）。
【特許文献１】特開平１１−２２６１８３号公報
【特許文献２】特開平８−８４８３６号公報
【発明の開示】
【発明が解決しようとする課題】
【０００４】
しかしながら、従来の技術で述べたパチンコ遊技機の整流板及び球均しは、揺動自在に軸支して設けられているため、球通路を流下するパチンコ球の球圧が大きくなると、整流板が持ち上げられた状態のままパチンコ球を整流できずに球詰りを起こしてしまい、パチンコ球が流下できなくなるという問題があった。
【０００５】
本発明は、上記の課題に鑑みてなされたもので、その目的とするところは、過大な球圧がかかっても球詰りすることなくパチンコ球がスムーズに流下するようにしたパチンコ遊技機を提供するものである。
【課題を解決するための手段】
【０００６】
上記の目的を達成するために、請求項１記載の発明は、パチンコ球が非整列状態で流下する球通路と、前記球通路の少なくとも一側壁に臨むように設けた整流板と、前記整流板を可動させる電気的駆動源とを備え、パチンコ球と接触する前記整流板の内面を前記電気的駆動源の駆動により前記側壁面内で可動するほぼ平坦面に形成したことを特徴とする。ここでいう「一側壁に臨む」とは、一側壁の一部となるように設けることを意味し、整流板は一側壁に開口を開設して設けたり凹部を形成して該凹部に設けたりして、球通路を流下するパチンコ球が整流板の内面に接触し得るようにしている。
【０００７】
請求項２記載の発明は、パチンコ球が単列又は半複列で流下し得る幅員を有すると共にパチンコ球が積み重なって流下する高さを有する球通路と、前記球通路の少なくとも一側壁に臨むように設けた整流板と、前記整流板を可動させる電気的駆動源とを備え、前記整流板を前記球通路の高さ又は幅員が減少する部位に設けると共にパチンコ球と接触する前記整流板の内面をほぼ平坦面に形成し、前記電気的駆動源の駆動により前記整流板を前記平坦面とほぼ平行に可動させるようにしたことを特徴とする。前記整流板は前記側壁面内で可動し、平坦面に形成した板面部が球通路を流下するパチンコ球と接触するようにした。
【０００８】
請求項３記載の発明は、パチンコ球が単列又は半複列で流下し得る幅員を有するように仕切壁により複数条に区画された球通路と、前記仕切壁に臨むように設けた整流板と、前記整流板を可動させる電気的駆動源とを備え、パチンコ球と接触する前記整流板の内面をほぼ平坦面に形成し、前記電気的駆動源の駆動により前記整流板を前記平坦面とほぼ平行に可動させるようにしたことを特徴とする。前記整流板は前記仕切壁面内で可動し、平坦面に形成した板面部が球通路を流下するパチンコ球と接触するようにした。
【０００９】
請求項４記載の発明は、パチンコ球が単列又は半複列で流下し得る幅員を有しかつパチンコ球が多段に重なって流下する球通路と、前記球通路の側方に位置して下流側で該球通路と合流する補助通路と、前記球通路と補助通路の合流部の上方を覆うように設けられる整流板と、前記整流板を可動させる電気的駆動源とを備え、パチンコ球と接触する前記整流板の内面をほぼ平坦面に形成し、前記電気的駆動源の駆動により前記整流板を前記平坦面とほぼ平行に可動させるようにしたことを特徴とする。
【００１０】
請求項５記載の発明は、球導出口を開設した球タンクと、前記球導出口から流出したパチンコ球を球払出装置に導く球通路と、前記球導出口の下方に位置する球通路の下側壁に臨むように設けた整流板と、前記整流板を可動させる電気的駆動源とを備え、パチンコ球と接触する前記整流板の内面をほぼ平坦面に形成し、前記電気的駆動源の駆動により前記整流板を前記平坦面とほぼ平行に可動させるようにしたことを特徴とする。前記整流板は前記下側壁面内で可動し、平坦面に形成した板面部が球通路を流下するパチンコ球と接触するようにした。
【００１１】
請求項６記載の発明は、球導出口を下流端に開設した球タンクと、前記球導出口から流出したパチンコ球を球払出装置に導く球通路と、前記球導出口の開口端部であり前記球タンクの下流部側壁に臨むように設けた整流板と、前記整流板を可動させる電気的駆動源とを備え、パチンコ球と接触する前記整流板の内面をほぼ平坦面に形成し、前記電気的駆動源の駆動により前記整流板を前記平坦面とほぼ平行に可動させるようにしたことを特徴とする。前記整流板は前記前記側壁面内で可動し、平坦面に形成した板面部が球通路を流下するパチンコ球と接触するようにした。
【００１２】
請求項７記載の発明は、請求項１乃至６のいずれかに記載の発明において、前記電気的駆動源はモータであり該モータの駆動により前記整流板を回転動させるようにしたことを特徴としている。
【００１３】
請求項８記載の発明は、請求項１乃至６のいずれかに記載の発明において、前記電気的駆動源はソレノイドであり該ソレノイドの駆動により前記整流板を往復動させるようにしたことを特徴としている。
【００１４】
前記整流板は前記球通路の高さ又は幅員が減少する部位に設けるのが好ましい。
【００１５】
また、前記整流板の設置位置を調整できるように、着脱又は移動自在に設けるのが好ましい。例えば取着部を複数箇所に設けたり、長孔を介して取着し該長孔の範囲内で移動し得るようにしたりすればよい。
【００１６】
なお、前記整流板は球タンクのパチンコ球を球払出装置に導く球誘導樋に設けるようにしても、入賞球を集合させて排出する入賞球集合部に設けるようにしてもよい。また、球受皿に貯留されるパチンコ球を整流する整流部に前記整流板を設けるようにしてもよい。
【発明の効果】
【００１７】
本発明によれば、パチンコ球が積み重なって流下する球通路の少なくとも一側壁に、パチンコ球と接触する内面をほぼ平坦面に形成した整流板を臨ませ、電気的駆動源により整流板を前記側壁面内で可動させるようにしたことにより、パチンコ球が詰まりそうになっても整流板の平坦面が側壁の一部に臨んで可動するので球詰りを起こすことなく、パチンコ球の流下に支障をきたすこともなくスムーズに流下させることができる。
【実施例１】
【００１８】
次に、本発明の一実施例を図面を参照して説明する。図１はパチンコ遊技機の正面図、図２はパチンコ遊技機の裏面図である。図において、１は方形枠状に形成されたパチンコ遊技機の機枠、２は前記機枠１の前面にヒンジ機構３により開閉自在に装着される前面枠であり、該前面枠２の裏面側に設けられる遊技盤取付枠４に遊技盤５が前面側から着脱自在に取着されている。前記前面枠２の前面には前記遊技盤５を視認し得るように設けられるガラス扉枠６が開閉自在に設けられると共に、該ガラス扉枠６の下方に打球供給皿７及び該打球供給皿７の余剰球を貯留する余剰球受皿８が設けられ、ガラス扉枠６と共に打球供給皿７及び余剰球受皿８が一体に開閉するようにしている。９は、前記余剰球受皿８の側方に位置して前面枠２に取着される操作ハンドルである。そして、前記前面枠２の裏面には機構板１０がヒンジ具４３により開閉自在に設けられ、前記前面枠２及びガラス扉枠６と共に機構板１０の自由端は、前面枠２の裏面に設けられる施錠装置２７によって施錠される。
【００１９】
前記機枠１は、図３に示すように上下左右の枠板により矩形に枠組され、その下部前面に補強用の腰板１ａが横設されており、前面枠２を閉じた状態で該腰板１ａの上端面と前面枠２の下端面とが重合するように構成されている。そして、機枠１の右枠板１ｂ内側面の上下位置には前面枠２を閉止状態に係止する係止部としての受金具１２，１２が上下一対取付けられている。なお、前記下方の受金具１２には、機構板１０の後面側端を押さえ込む押え片１２ａが設けられ、前面枠２の閉鎖時に該押え片１２ａによって機構板１０の周縁後面を押圧するようにしている。
【００２０】
前記遊技盤５は、図４に示すようにほぼ方形状に形成され、前面に遊技球を案内するガイドレール１３により遊技領域５ａがほぼ円形に形成され、該遊技領域５ａに一般入賞口１４や可変表示装置１５の図柄を変動させるチューリップタイプの始動入賞口１６、また可変表示装置１５の予め設定された図柄の組合せにより開放する大入賞口１７等が設けられている。そして、前記遊技盤５の周縁の適宜位置に、該遊技盤５を遊技盤取付枠４に固定させる係止部材１９が着脱回動自在に設けられている。前記係止部材１９は、図４に示すように軸部の一端に操作部１９ａが設けられ、他端に遊技盤取付枠４の後面に係止する係止片１９ｂが、ほぼ遊技盤５の厚みを隔てて設けられている。
【００２１】
また、前記遊技盤取付枠４の遊技盤設置領域の四隅には遊技盤５の後面を支持する支持片２０が設けられ、該支持片２０には前記係止部材１９が係止する係止孔２１が開設されており、裏面には図５に示すように所定間隔を隔てて、係止片１９ｂの先端をガイドするガイドリブ２２が設けられている。そして、遊技盤５を遊技盤取付枠４に装着するには、係止部材１９の係止片１９ｂが遊技盤５内に収まった状態で、上部又は対角線上の操作部１９ａを摘んで遊技盤５を持ち上げ、前面側から遊技盤取付枠４の設置領域に臨ませて、前記支持片２０に遊技盤５の後面を当接させると共に、同図鎖線に示すように係止部材１９の係止片１９ｂを係止孔２１に挿通させる。この状態で、操作部１９ａを回動させると係止片１９ｂが前記ガイドリブ２２にガイドされながら支持片２０の後面に係止し、遊技盤５が遊技盤取付枠４に確固と取付けられる。なお、遊技盤５の取付けは、例えば遊技盤取付枠４の前面に設けられるファール樋２３の一部を可動自在設け、該ファール樋２３の一部を可動させることによりファール樋２３の一部が遊技盤５の下端に係止するようにして遊技盤５を遊技盤取付枠４に固定すると共に、ファール樋２３が使用可能な状態となるようにしてもよい。このように遊技盤取付枠４の前面に設けられるファール樋２３の一部によって遊技盤５を係止することで、係止部材１９の数を減らすこともできる。同様に遊技盤取付枠４の前面に設けられる発射レール１８を可動自在に設けて、遊技盤５の取着時に発射レール１８を可動させて遊技盤５を取付けるようにしてもよい。
【００２２】
前記前面枠２の裏面上部には、図６及び図７に示すように遊技盤取付枠４の上方であり、ほぼ中央位置に前記機構板１０の周縁部に係合する弾性係止片２４を設けている。前記弾性係止片２４は合成樹脂により形成され、先端に所定の係合量をもって係合する鉤状係合部２４ａを有している。前記鉤状係合部２４ａは、先端に向かうテーパー面として形成しており、該テーパー面に機構板１０が接触して該弾性係止片２４を係止解除方向に作用するようにしている。また、前記弾性係止片２４は、前記前面枠２を機枠１に対して閉鎖し、前記機構板１０が該機枠１内に収納された際に、前記弾性係止片２４の機枠１側の端面と機枠１の内面との隙間Ｓ１が前記鉤状係合部２４ａと機構板１０との係合量Ｓ２より小さく設定されるように取付けられる。ここでいう「係合量」とは、鉤状係合部２４ａと機構板１０と重なった部分の係止方向の距離を意味し、係合量が多いほど確実な係止が確保される。また、実施例において、弾性係止片２４の背面部に前記隙間Ｓ１を設定する帯片状の間隔規制部２６を突設し、前記間隔規制部２６の先端外面を先端に向けたテーパー面とすることにより、前面枠２を機枠１に閉じる際に、前記弾性係止片２４の先端が機枠１の前面壁に当たったとしても、前記テーパー面により弾性係止片２４を機枠１の内面にスムーズに潜り込ませることができる。
【００２３】
前記前面枠２の自由端の裏面に設けられる施錠装置２７は、図８乃至図１０に示すように前面枠２に固設されるＬ字状の基板２８と、前記基板２８の長手方向に沿って摺動自在に設けられ前面枠２及びガラス扉枠６，機構板１０を開閉するための長板状の施錠杆２９と、前記基板２８に取付けられるシリンダ錠３０と、前記シリンダ錠３０の錠軸に固着され前記施錠杆２９の摺動方向に操作力を伝達し摺動させるカム板３１とで構成されている。前記施錠杆２９には、前記機枠１の受金具１２に係止する上下一対の下向き鉤片３２，３２と、前記ガラス扉枠６の裏面に開口して設けられる係止孔３３に係止する上下一対の上向き鉤部材３４，３４と、前記機構板１０に設けられる係合孔３５に係脱する鉤状片３６とが長孔３７ａ〜３７ｃを介して、スプリング３８ａ〜３８ｃによって常に鉤片３２，鉤部材３４，鉤状片３６を施錠する方向に付勢している。前面枠２を施錠する鉤片３２は、施錠杆２９に形成した長孔３７ａに一端を軸ピン３９ａにより摺動自在に設けられ、スプリング３８ａにより前記長孔３７ａの下端に軸ピン３９ａが当接するように付勢している。前記長孔３７ａは、前記鉤部材３４の係合が解除される長さが選ばれる。次に、ガラス扉枠６を施錠する鉤部材３４は、施錠杆２９の上端とほぼ中央に形成した長孔３７ｂに一端を軸ピン３９ｂにより摺動自在に設け、スプリング３８ｂにより前記長孔３７ｂの上端に軸ピン３９ｂが当接するように付勢している。このとき、前記長孔３７ｂの長さは前記鉤片３２の解錠範囲長さと、さらに鉤状片３６の解錠範囲長さとをプラスした長さが選ばれる。また、機構板１０の自由端を係止する鉤状片３６は、一端が施錠杆２９に形成した長孔３７ｃ及び基板２８に形成したガイド長孔８３に軸ピン３７ｃを介して、それぞれ独立して回動するように設けられ、スプリング３８ｃにより前記基板２８に形成したガイド長孔８３の下端に軸ピン３９ｃが当接するように付勢している。このとき、施錠杆２９に形成された長孔３７ｃは、前記鉤部材３４及び鉤片３２の係合が解除される長さをプラスした長さとして、常には軸ピン３９ｃがガイド長孔８３の下端に位置すると共に長孔３７ｃのほぼ中央に位置している。４０は施錠杆２９を手で操作する操作部である。また、前記施錠杆２９には、前記カム板３１がガラス扉枠６の解錠時に係合する凹欠係止部２９ａ及び前面枠２の解錠時に係合する係止段部２９ｂが形成されている。そして、鍵の操作によりカム板３１の操作力を施錠杆２９に伝達して、鉤片３２又は鉤部材３４を解錠方向に摺動させ、前面枠２及びガラス扉枠６を解錠するようにしている。また、機構板１０の解錠は、前面枠２を開放して操作部４０を操作して施錠杆２９を上動させ、前記鉤状片３６と係合孔３５との係合を解除して機構板１０が開放される。４１は、基板２８に設けられるガイド片であり、先端が機構板１０側に下傾して、機構板１０の閉鎖時に自由端側が荷重によりに下傾するのを所定位置に誘導し、前記鉤状片３６が係合孔３５に対向位置して係合しやすくするものである。また、前記遊技盤取付枠４の側枠に沿う基板２８を延設屈曲して、該屈曲片４２に遊技盤５の裏面に当接する板ばね４２ａをビス着，溶接，リベット止め等により固着して、遊技盤５が遊技盤取付枠４に確固と保持されるようにするのが好ましい。なお、前記屈曲片４２を前記支持片２０に替えて直接遊技盤５の裏面を支持する位置決め片としてもよい。このとき、前記屈曲片４２が遊技盤５の当接により基板２８が撓まないように、前面枠２に設けられるボス等にビス着するのが好ましい。また、前記板ばね４２ａは、別途設けられる取付部材を介して前記基板２８に設けるようにしてもよく、好ましくは該取付部材と前記板ばね４２ａとを前記基板２８に共締めして、取付け工程を簡素化するのがよい。当然のことながら屈曲片４２は、複数箇所に設けるようにしてもよい。また、実施例において遊技盤５に設けた固定具１９を取付ける取着部を、該基板２８を折曲して設けて、該基板２８に固定具１９を予め取付けるようにしてもよい。このとき、その取着部の設置位置を変更すれば、遊技盤５を前面側又は後面側から装着する場合でも対応することができ、設置位置に限定されることはない。なお、施錠装置２７を前面枠２の前面側から取着するようにしてもよい。このとき、当然に前面枠２に切り込み及び開口を開設して鉤片３２，鉤状片３６等を裏面側に臨ませることになる。
【００２４】
前記機構板１０は、前記遊技盤５の後面が臨む開口窓４３が開設され、該開口窓４３を閉塞するように所定高さを有するカバー部材４４が機構板１０と一体に突出形成されている。そして、前記カバー部材４４に沿うように球タンク４５，球誘導樋４６，球払出装置４７等の裏機構部品が設けられ、その下流に前記所定個数のパチンコ球を払出す球払出装置４７から払出されるパチンコ球を前記打球供給皿７に導く排出樋４８及び余剰球を前記余剰球受皿８に導く余剰球排出樋４９、さらに球タンク４５，球誘導樋４６のパチンコ球を抜取る球抜き樋５０が設けられている。そして、前記開口窓４３の下方には、入賞したすべての入賞球が集合する入賞球集合樋５１が形成され、該入賞球集合樋５１及び前記排出樋４８，余剰球排出樋４９，球抜き樋５０の上面を覆うように、パチンコ球の払出しを制御する払出制御基板５９及び遊技内容を制御する遊技制御基板５２等の制御基板が設けられる板状部材５３が一端を機構板１０に軸支して単独で開閉し得るように設けられている。
【００２５】
また、機構板１０の自由端側には、図６に示すように前記上下係合孔３５の開口端を補強すると共に、鉤状片３６との係合具合を調整し得る係止板５５が機構板１０の側縁に沿って設けられる補強プレート５６と一体に形成されている。そして、補強プレート５６は一部を断面Ｌ字状に形成しており、ほぼ中央に前記ガイド片４１に接触して機構板１０を所定位置に導く規制片５７が設けられている。前記補強プレート５６は、前記係止板５５及び規制片５７の上端に設けられる５ｍｍ〜１０ｍｍ程度の取着用舌片５５ａ，５７ａを機構板１０の側縁に形成される下向き袋状の挿通孔５８に挿通して、前記規制片５７の近傍にビスを螺締することで取付けられる。
【００２６】
前記板状部材５３は、図６及び図１１に示すように金属板を折曲してヒンジ部５３ａ及び係止部５３ｂを形成しており、開放端側は機構板１０を開放した際に該板状部材５３がフリー状態とならないように弾性係止片等により機構板１０に仮止めするのが好ましく、前記機構板１０と共に施錠装置２７により閉止固定している。該板状部材５３の係止部５３ｂは、機構板１０の閉鎖時に板状部材５３の係合部５３ｂが前記鉤状片３６に当接して、その勢いで機構板１０との仮止めが外れないように機構板１０の係合孔３５に重合して連通する透孔５４を形成しており、機構板１０の閉鎖時に前記鉤状片３６が先ず係止板５５に接触してから、板状部材５３の透孔５４に係合するように開口端の長さを違えている。
【００２７】
また、機構板１０を軸支するヒンジ具４３は、図１１に示すように前面枠２側に取着される上下固定ヒンジ部材６２と機構板１０側に取着される上下可動ヒンジ部材６３とにより構成されている。そして、前記上下固定ヒンジ部材６２は鋼やステンレス等の金属製の連結部材６８の上部及び下部に一体的に形成され、前記上下可動ヒンジ部材６３は鋼やステンレス等の金属製の補強フレーム６４の上部及び下部に一体的に形成されている。この実施例において、固定ヒンジ部材６２には軸孔６５が開設され、可動ヒンジ部材６３には前記軸孔６５に嵌挿される軸ピン６６が垂下されている。なお、ヒンジ具４３は、この実施例に限ることなく、固定ヒンジ部材６２に上向の軸ピン６６を設け、可動ヒンジ部材６３に軸孔６５を開設するようにしてもよい。また、前記連結部材６８には、前記可動ヒンジ部材６３が接触し、前記軸ピン６６の軸線が前記軸孔６５内に位置するように位置決めするガイド部６７が、前記固定ヒンジ部材６２と所定間隔（軸ピン６６の長さ以下）隔てて設けられ、該ガイド部６７と連結部材６８とで形成されるＬ字型のコーナー部に、可動ヒンジ部材６３を当接させることにより位置決めがなされる。なお、下方のガイド部６７には、連結部材の長さ方向に直交するように前記可動ヒンジ部材６３を支持する支点となる帯状リブ６７ａが打ち込みにより設けられおり、該ガイド部６７の補強を兼ねている。また、連結部材６８には、機枠１の後面又は機枠１に形成した係合部に係止する係止片１２２を外方に屈曲して設けている。これは、前面枠２の軸支側を撓ませてその隙間から針金等の不正具を挿入して行われる不正行為を防止するためのもので、前面枠２を機枠１に対して閉鎖した際に前記係止片１２２が機枠１の後面に係止して、機枠１と前面枠２との間に隙間ができないようにしている。なお、前記係止片１２２は、前記ガイド部６７と一体に設けるようにしてもよい。また、前記係止片１２２を連結部材６８とは別体に形成し、連結部材６８にスポット溶接，リベット止め又はビス着により取付けるようにしてもよい。さらに、前記係止片１２２を連結部材６８に取付けるビスにより、前面枠２に対して連結部材６８を共締めして取付けるようにするのが好ましい。また、前記連結部材に前面枠の前面に設けられるガラス扉枠のヒンジ具を一体に設けるようにしてもよく、この場合前面枠に該ヒンジ具が貫挿する透孔を形成し、該透孔から前記ヒンジ具を臨ませ固定すればよい。なお、連結部材６８に、前記施錠装置２７の基板２８に設けたように遊技盤５の位置決め又は支持する屈曲片４２及び板ばね４２ａを一体又は別体で設けるようにしてもよい。また、遊技盤５に設けた固定具１９を取付ける取着部を該連結部材６８に設けて、該連結部材６８に固定具１９を予め取付けるようにしてもよい。このとき、その取着部の設置位置を変更すれば、遊技盤５を前面側又は後面側から装着する場合でも対応することができる。
【００２８】
前記補強フレーム６４は、図１１に示すように一側が開放したコ字状として配線収納部６９を形成し、その配線収納開口に合成樹脂製の蓋部材７０を開閉自在に設けている。このように、配線収納部６９を導電性部材である金属製の補強フレーム６４により形成し配線を収納することにより、ノイズを遮断し遊技の誤作動等を防止するという優れた効果を奏する。さらに、前記補強フレーム６４を延設して、前記球誘導樋４６及び球払出装置４７の側壁を支持する支持片７６を設けて、前記球誘導樋４６及び球払出装置４７の側面をガードすると共に前記屈曲樋４６ｂ及び球払出装置４７の側面を支持して側方への倒れを防止するように機能している。また、補強フレーム６４には、前記板状部材５３一側上下に形成される軸孔を有するヒンジ部５３ａを軸支する上向のヒンジ軸７１を設けており、下方のヒンジ軸７１は可動ヒンジ部材６３の軸ピン６６とほぼ同軸上に突設している。このように、前記板状部材５３を可動ヒンジ部材６３の軸ピン６６と同軸上に突設したヒンジ軸７１に連繋することで、板状部材５３を直接前面枠２に軸支しているのと同様に軸支され該板状部材５３が撓みにくくなる。
【００２９】
次に、上記構成の機構板１０の装着について説明する。まず、機構板１０の下方に位置する可動ヒンジ部材６３の端部を、ガイド部６７の帯状リブ６７ａに当接支持させて、該帯状リブ６７ａを支点として上方の可動ヒンジ部材６３をガイド部６７に当接させると、軸ピン６６の軸線及び先端テーパー面が固定ヒンジ部材６２の軸孔６５内に位置し、この状態で機構板１０を下方にスライドさせると、下方の可動ヒンジ部材６３が帯状リブ６７ａの支持から外れ、上下軸ピン６６が軸孔６５に挿通されて、機構板１０を前面枠２に対して簡単に開閉自在に装着することができる。そして、機構板１０の自由端側を遊技盤５に押し付けるように閉鎖すると、補強プレート５６の規制片５７が施錠装置２７のガイド片４１に接触して機構板１０を所定高さ位置に誘導すると共に、鉤状片３６が係合孔３５に臨んで、該鉤状片３６が係止板５５に接触して一旦下向き回動する。そして、スプリング３８ｃの付勢により鉤状片３６が復帰回動して係合孔３５に係合し、機構板１０が遊技盤５に密着状に固着される。このとき、下部鉤状片３６は、図１０に示すように透孔５４に係止して前記板状部材５３を共に固定する。また、機構板１０を閉鎖する際に、前記弾性係止片２４の先端が機構板１０の周縁上端に接触し、弾性係止片２４が弾性により上方に撓んで、機構板１０の閉鎖と同時に鉤状係止部２４ａが機構板１０の周縁裏面に係合する。このとき、弾性係止片２４の先端がテーパー面となっているので、作業者は直接弾性係止片２４を操作することなく該弾性係止片２４を撓ませ機構板１０に係止させることができる。そして、このように機構板１０を装着した前面枠２を機枠１に対して閉鎖すると、前面枠２の自由端の施錠装置２７の鉤片３２が受金具１２に係止して施錠される。このとき、図７に示すように前記弾性係止片２４の上端と機枠１の上枠の下面との隙間Ｓ１が、前記鉤状係止部２４ａと機構板１０との係合量Ｓ２より小さく設定されているため、万一、球タンク４５に収容されるパチンコ球の球重量により機構板１０に後方に拡開しようとする作用力が加えられて、弾性係止片２４が外れる方向に反って撓もうとしても、同図鎖線に示すように弾性係止片２４の間隔規制部２６の上端面が機枠１の内面に当接して、それ以上弾性係止片２４が上動することができないので、鉤状係合部２４ａが機構板１０から外れることがなく、確実に機構板１０の固定状態を保持することができる。さらに、機構板１０の開放端側方は、図９に示すように受金具１２に延設した押え片１２ａにより機構板１０の後面を押圧しており、遊技盤５の裏面との密着状態が常時確固と維持され、反りや歪みが抑止される。なお、機構板１０の装着に際して帯状リブ６７ａを支点として装着するようにしたが、帯状リブ６７ａを逆方向に形成して凹部側を支点としてもよく、上下可動ヒンジ部材６３を直接ガイド部６７に当接させて、装着するようにしてもよいのはいうまでもない。
【００３０】
次に、前記機構板１０の裏面に設けられる球タンク４５等の裏機構部品について説明する。図１２及び図１３に示すように上面が開口する平面略長方形の箱状に形成されたタンク本体４５ａと、板状部材４５ｂとで構成している。そして、前記板状部材４５ｂを球タンク本体４５ａ内に装着して、パチンコ球が貯留される球貯留部７２とパチンコ球を整列して流下させる球通路としての球整流部７３とを区画している。前記板状部材４５ｂの上面はほぼ平坦面であり、僅かに厚みを有する枠板状に形成され、下流側に球貯留部７２のパチンコ球を球整流部７３に流出させる球導出口７４が開設されると共に、該球導出口７４の前後両側開口縁にパチンコ球の半球程度の段部により球崩し部７５が隆起して形成されている。前記球導出口７４は、下流側からパチンコ球４〜５個分上流側に位置して開設されており、その下流底部７２ａは約７°の傾斜で球導出口７４に向かって下傾している。そして、球導出口７４の開口幅は、縦横約５１×３５ｍｍの大きさであり、上流側と下流側の開口端は約１０ｍｍの高低差をもって開口されている。なお、前記下流底部７２ａと球整流部７３との間隔は、ほぼパチンコ球１個が流下し得る間隔としている。前記球整流部７３は、右側壁７６に開設した球出口７６ａに向って約５．５°の傾斜で下傾しており、前記球導出口７４の下方に位置して拡幅状に形成された球受け部７７と、該球受け部７７の下流側に連設してパチンコ球が１列又は半複列で流下する凹溝状の整流路７８と、該整流路７８の側方位置に並列して段状に設けられ該整流路７８に下流側で合流するように設けられる補助通路７９とによって構成している。前記整流路７８は実施例において約１８ｍｍの通路幅としてパチンコ球が球心をずらしてランダムに非整列状態で流下し得るようにしている。また、前記補助通路７９は終端に段状に形成された球崩し部７９ａが所定の枠体Ｃ内に着脱移動自在に設けられ、球導出口７４から球整流部７３に多量のパチンコ球が流入しても、該球崩し部７９ａで球圧を弱めながら整流路７８に合流させることができる。なお、８０は球受け部７７及び整流路７８に敷設される金属板であり、パチンコ球の流下による磨耗を防止すると共に球貯留部７２及び球整流部７３に貯留されるパチンコ球に滞留する静電気のアースとしての用をなす。そして、球貯留部７２に図示しない補給経路からパチンコ球が補給されると、パチンコ球は前記球導出口７４から球整流部７３に流出して整流路７８を流下する。このとき、前記下流底部７２ａ下方にパチンコ球が異動し得る空間部Ｋが整流路７８と同方向に傾斜して形成されているため、球導出口７４で過大な球圧がかかって球詰りが起こりそうになっても、前記空間部Ｋにパチンコ球が入り込んで球圧を逃がしバランスを崩すことができ、常に確実な供給が可能となる。
【００３１】
前記球崩し部７９ａは、ホールにおけるパチンコ球の供給具合又は球払出装置４７の作動力に応じて変更し、球崩し部７９ａの下流側に該球崩し部７９ａを移動させたサイズのブロックＢを所定の大きさを有する枠体Ｃ内に嵌め込むことで、パチンコ球の流下に支障なく移動させることができる。このとき、前記ブロックＢ内に振動モータ等の振動手段を任意に装着するようにして、球詰りを解消させるようにしてもよい。また、前記枠体Ｃの側壁に固設したナットに蝶ねじ等の螺軸を進退自在に設け、該螺軸の一端に球崩し部７９ａを連繋させ、該螺軸の回動により枠体Ｃ内をパチンコ球の流下方向に移動し得るように設けることで、球崩し部７９ａの微調整が可能となり、最適な状態でパチンコ球を流下させることができる。そして、球崩し部７９ａをパチンコ球の流下方向に移動させることで、整流路７８の下流側への球量を調整することができ、例えば、球崩し部７９ａを下流側へ移動させると、整流路７８の下流側へ送り出される球量を増量させることができ、１分間に１２００個以上の高速の払出しに対応することができる。このように、球崩し部７９ａつまり整流路７８への合流部を移動自在とすることで、従来ホールにおけるパチンコ球の供給具合又は球払出装置４７の作動力によって、パチンコ球の供給が間に合わなかったり、球詰りしやすかったりしていたのを任意に調整することができ、常に最適な状態でパチンコ球を供給することができる。
【００３２】
前記球誘導樋４６は、図２に示すように前記開口窓４３の上方に位置する傾斜樋４６ａと開口窓４３の側方に位置する屈曲樋４６ｂとで構成され逆Ｌ字状に形成されている。前記傾斜樋４６は、図１５に示すように整流路７８に連通する球通路としての供給通路８１を１８ｍｍの通路幅からパチンコ球ほぼ１個分（約１２ｍｍ）の幅員に絞り込んでいる。そして、図１４に示すように四側壁９８ａ〜９８ｄが囲まれ高さ方向が漸次低くなり、球詰りが起こしやすいパチンコ球がほぼ２個積み重なる近傍位置に、球崩し装置８２が設けられている。該球崩し装置８２は、板状部材としての円盤状の整流板８４と該整流板８４を回転駆動する電気的駆動源としてのモータ８５とで構成されている。前記整流板８４は、ほぼ平坦な板面部８４ａを有しており、この実施例において滑りがよく磨耗しにくいジュラコン（ＰＯＭ，ポリアセタール）で成形されており、パチンコ球を引っ掛けて強制的に移動させることはない。そして、該整流板８４の軸部にモータ８５の回転軸８５ａを固定し、該整流板８４を供給通路８１の上側壁９８ａの凹部開口から該整流板８４を臨ませて、前記モータ８５を上側壁９８ａに長孔１２１を介してビス着することでパチンコ球の流下方向に移動自在に設けられ、整流板８４がモータ８５の駆動により平坦面とほぼ平行に上側壁９８ａ面内で回転するようにしている。この実施例において、前記整流板８４は前記供給通路８１の高さが漸次狭まるように傾斜樋４６ａに対して約５〜１５°の下向き傾斜で設けられ、モータ軸８５ａはその供給通路８１より外方に位置して、供給通路８１内で整流板８４は下流側に向かって回転している。そして、整流板８４の上流部は、その上流側の上側壁９８ａと段差を介して設けられており、上流から流下するパチンコ球が整流板８４の周縁にも接触するようにしている。なお、整流板８４の回転軸８５ａは供給通路８１内に位置させて、板面部８４ａに接触するパチンコ球を側方又は上流に促すように作用させるようにしてもよい。このように、前記整流板８４を前記供給通路８１の高さ又は幅員が減少するパチンコ球の球詰りしやすい部位に設けることで、該整流板８４が供給通路８１の側壁の一部を構成しながら、球詰りが起こらないように球崩しすることができる。
【００３３】
前記屈曲樋４６ｂは、図１６に示すように球通路としての供給通路８１が蛇行状に形成され、下流部で徐々に絞ってパチンコ球１個分の通路幅としている。そして、屈曲樋４６ｂ及び球払出装置４７は前記カバー部材４４の立壁４４ａにより支持されると共に、前記補強フレーム６４の支持片７６により側面をガードされ前記屈曲樋４６ｂ及び球払出装置４７の側方への倒れを阻止している。このように、機構板１０に対して鉛直状に設けられる屈曲樋４６ｂであっても、安定した状態で取付けることができる。
【００３４】
前記球払出装置４７は、図１６に示すように箱枠状のケース体８６に前記屈曲樋４６ｂの供給通路８１と連通する球通路８７と、該球通路８７に臨み最先のパチンコ球を制御支持しパチンコ球の荷重により回転する払出回転体８８と、前記払出回転体８８の回転を制御する制御手段８９と、前記払出回転体８８の盲動を防止する盲動防止手段としての盲動防止装置９９と、球抜き装置９０とを備え構成している。前記盲動防止装置９９は、球荷重によりパチンコ球を払出す払出回転体８８が次第に加速されて、該払出回転体８８の回転を制御するのが難しくなるのを防止するために設けられるものである。９１は払出されたパチンコ球を検出するセンサである。
【００３５】
前記払出回転体８８は、図１６に示すように外周に凹凸歯９２，９３を複数（本実施例において５個）設けたスプロケットタイプで、前記球通路８７内でパチンコ球を凹歯９２で受入れて、該パチンコ球の重量が該払出回転体８８に回転トルクを及ぼすように軸支９４して、パチンコ球を凹凸歯９２，９３で支持しパチンコ球を自重で流下させることにより、順方向に従動回転するようにしている。前記払出回転体８８は、前記凸歯９３の頂点から背面にわたり、該払出回転体８８の回転中心９４からの距離が漸次減少する巴形状として、凸歯９３で支持されたパチンコ球を凹歯９２に素早く受入れるようにしている。このため、高速回転による払出しに対応することができる。
【００３６】
前記制御手段８９は、図１６に示すように前記払出回転体８８の軸方向側方に位置して前記凹凸歯９２，９３と同ピッチで放射状に突出して設けられる制御用突出体としての立壁９５と、電気的駆動源としてのソレノイド９６の作動によって前記立壁９５，９５間に進退動し払出回転体８８の回転停止制御を行う作動体９７とを備えている。前記作動体９７には前記立壁９５の後面に接触して前記払出回転体８８を定位置に規制する帯状の規制部９７ａが形成されている。
【００３７】
前記盲動防止装置９９は、図１７に示すように円筒体のケース体１０１と、前記円筒体のケース体１０１内に収納されステンレス等の磁性体で形成された板状の回転円盤１００と、前記回転円盤１００に対向位置させて設けられる電磁石１０２とを備え構成している。前記回転円盤１００は、前記払出回転体８８の同軸９４に回転自在に設け、該回転円盤１００には前記払出回転体８８の凹歯９２に対応して同数の検出孔１０３が設けられると共に該検出孔１０３を光が通過することにより検知する位置検出センサ１０４が一対設けられている。そして、前記払出回転体８８の回転と共に回転円盤１００が回転し、多数個のパチンコ球が払出されるのに伴って払出回転体８８が次第に加速されると、前記電磁石１０２を励磁させて、回転円盤１００を吸着させて払出回転体８８の回転にブレーキをかけて、払出回転体８８を制御しやすい回転速度にするようにしている。なお、前記回転円盤１００の全体を磁性体としたが、前記電磁石１０２に対向する部分のみ磁性体としてもよい。さらに、図１８に示すように回転円盤１００に払出回転体８８の歯数と同数の磁性吸着部１００ａを周方向に所定間隔で設けると共に、該磁性吸着部１００ａ間を磁性帯１００ｂで連設して、回転円盤１００が所定位置で吸着され払出回転体８８も所定位置で停止するようにするのが好ましく、位置検出センサの替わりともなる。また、回転円盤１００の形状は図上の板状に限らず、一端が開放する円筒形としてもよく、前記電磁石１０２及び位置検出センサ１０４を該円筒形の回転円盤１００の側壁に対応して設けるようにしてもよい。なお、位置検出センサ１０４はコ字状に一体に形成されたものであってもよい。
【００３８】
上記構成の球払出装置４７は、ソレノイド９６を励磁して前記作動体９７を可動させると、払出回転体８８はパチンコ球の荷重により回転してパチンコ球を払出して、所定個数のパチンコ球がセンサ９１により検出されるとソレノイド９６を消磁する。そして、ソレノイド９６の消磁にともなって作動体９７が立壁９５間に入り込み払出回転体８８の回転を阻止する。このとき、貸球等の払出しにより連続して所定個数（例えば５００円分の１２５個）を払出す際に、払出回転体８８の回転に加速がつきパチンコ球の供給が追いつかなくなるため、前記電磁石１０２を励磁させて払出回転体８８の回転にブレーキをかけて、パチンコ球の供給を確実なものとすると共にセンサ９１により所定個数が検知された後、過剰切りすることなく確実に作動体９７により払出回転体８８の回転を制御することができ、制御手段８９の破損をも防止することができる。なお、励磁の仕方は、払出回転体８８が作動体９７によって制御されるまで励磁させるようにしても、所定間隔で所定時間励磁させてある程度の回転速度にさせるようにしてもよい。
【００３９】
次に、前記球崩し装置８２の作用について説明する。前記パチンコ球の払出しに基づいて、前記モータ８５を駆動して整流板８４を回転させると、図１４鎖線に示すように供給通路８１を段状に積み重なって流下する上段のパチンコ球が、整流板８４の内面に位置する板面部８４ａに接触して、上段のパチンコ球は整流板８４に接触することで同図矢印に示すように下流側に促されるように誘導され、球詰りとなる状態を崩して、球詰りを発生させないようにしている。このとき、パチンコ球と接触する板面部８４ａがほぼ平坦面に形成されているため、パチンコ球を強制的に送り込むことがなく、整流板８４が起因となって球噛みすることはない。なお、球崩し装置８２を球払出装置４７の作動時に作用させるようにしたが、常時作動させるようにしても、球払出装置４７と球崩し装置８２間に球切れ検知スイッチを設け、該検知スイッチの検知時に球崩し装置８２を作動させるのようにしてもよい。また、整流板８４の回転速度も制御基板による制御によって任意に変更し得るようにするのが好ましく、パチンコ球の流下状態又はパチンコ球の払出速度に応じて整流板８４を低速回転から高速回転に、または高速回転から低速回転に調整してパチンコ球の流下状態を最適状態とするのがよい。
【００４０】
また、前記モータ８５を正逆回転させて、整流板８４が正逆回転するようにしてもよく、この場合でも板面部８４ａがほぼ平坦面であるためパチンコ球を強制的に逆流させることがなく、パチンコ球に微妙な変化を付与して球詰りを発生させることはない。また、整流板８４を逆転させることで、球払出装置４７にかかる荷重を軽減することも可能であるが、好ましくは球通路の通路幅をパチンコ球がランダムで流下し得る幅員として、球間に隙間が生じない状態でパチンコ球が供給できるようにするのがよい。また、板面部８４ａがほぼ平坦面であることから整流板８４を常時回転させるようにしても、整流板８４を前記払出回転体８８と同様に高速で回転させるようにしてもよく、高速で整流板８４を回転させることで供給通路８１を流下するパチンコ球を磨くこともできる。このとき、整流板８４に付着した汚れを落とすために、供給通路８１の側壁９８ｂ，９８ｃの外側位置で板面部８４ａに接触するようにゴム，ブラシ等を設け、整流板８４の回転時に同時に汚れを落すようにするのがよい。また、板面部８４ａにゴム，スポンジ，布等を貼着してパチンコ球の磨き効果を高めると共に、僅かながらの抵抗によりパチンコ球を回転方向に導くようにしてもよい。また、整流板８４の板面部８４ａを供給通路８１に臨ませると共に、整流板８４の軸部を側面に臨ませて、該軸部に供給通路８１のパチンコ球が接触し得るようにして、板面部８４ａと軸部側面の二面がパチンコ球と接触するようにしてもよい。また、球崩し装置８２を整流板８４の回転面内で僅かに揺動するように、例えば一本のビスでモータ８５の片側のみを固定し、整流板８４が複雑な動きをし得るようにして球崩しの効果を高めるようにしてもよい。なお、板面部８４ａをほぼ平坦面として形成したが、板面部８４ａを円錐形としてもよく、好ましくは１６０〜１７０°の鈍角とするのがよい。また、整流板８４の回転可動により強制的にパチンコ球を運ぶ作用を起こさない程度の湾曲面又は僅かな凹凸を設けるようにしてもよく、パチンコ球に微妙な変化を与え球詰りし難くすることができる。
【００４１】
また、球通路としての供給通路８１は複数設けるようにしてもよく、このとき整流板８４の回転軸８５ａを供給通路８１のほぼ中央に位置させることにより、それぞれの供給通路８１において整流板８４の回転方向が異なり、一方の供給通路８１では整流板８４は下流側に向かって回転するが、他方の供給通路８１では逆に上流側に向かって回転することになる。しかし、板面部８４ａが平坦面であるため、該板面部８４ａに接触するパチンコ球が下流へ流下するのに対して僅かに抵抗となるものの、強制的に逆送させることがないのでパチンコ球の流下に何等支障を起こすことはない。さらに、モータ８５を正逆転させるようにすれば、程よくパチンコ球の動きが微妙に変化して球詰り現象を起こすことはない。このようなことは、板面部８４ａが平坦面であるが故にパチンコ球を強制的に移動させることがないため成し得ることである。なお、複数の供給通路８１のそれぞれに整流板８４を設けるようにしてもよいのはいうまでもなく、好ましくはギアを介して１つのモータ８５によって複数の整流板８４を回転駆動させるのがよい。また、当然整流板８４は大径になるが、整流板８４の回転軸８５ａを供給通路８１の端部に位置させて、整流板８４に接触するパチンコ球を同一方向に移動させるようにしてもよい。このように、多段に積重なる方向のパチンコ球を整流板８４の板面部８４ａに接触させることで、従来の整流板又はローラー状の球均しに比べて、多段に積み重なったパチンコ球が接触する接触距離が多くなり、パチンコ球により干渉して広範囲にわたり球詰りし難くなる。また、前記整流板８４を設ける個所は、供給通路８１の上側部９８ａに限定されることなく、供給通路８１の側壁９８ｃ、９８ｄ又は底壁９８ｂに臨ませて設けるようにしてもよい。なお、整流板８４は、必ずしもモータ８５により回転駆動させることなく、ソレノイドにより摺動させるようにしてもよい。さらに、整流板８４を電気的駆動源の駆動によることなく、供給通路８１を流下するパチンコ球の流勢により回転又はスライドするようにして、バランスがとれて球詰りしそうになったパチンコ球が整流板８４を可動させることにより球崩しされ、球詰りすることなく流下させるようにしてもよい。このとき、前記整流板８４を回転軸８５ａ方向に移動し得るようにして、球圧を吸収するようにしてもよい。さらに、整流板８４をパチンコ球の接触により回転しやすくするために、整流板８４の板面部８４ａにシボ，細かな凹凸等を設けるようにしたり、粗面に形成したりするのが好ましく、パチンコ球の流下する作用力を利用することでモータ８５を小さいトルクとすることができ、コストの低減化を図ることができる。また、整流板８４の側面は、万一球噛みして整流板８４の可動により解除できなかった際に指で回転操作し得るように、整流板８４を覆うカバーから臨ませるのがよい。また、整流板８４の回転速度も払出速度に応じて変更するようにしてもよい。
【００４２】
また、球崩し装置８２の配設位置は限定されるものではなく、例えば図１９に示すようにパチンコ球が単列又は半複列で流下し得る幅員を有し、かつパチンコ球が多段に重なって流下する球通路としての整流路７８と該整流路７８と下流側で合流する補助通路７９とにより球誘導樋４６を構成し、前記整流路７８と補助通路７９との合流部の近傍上方に位置する仮想天井面に臨んで設けるようにしてもよい。この際合流部の近傍とは、合流部から上流部及び下流に向かってパチンコ球１〜２個程度の範囲を意味し、整流板８４の端部が僅かに合流部と干渉する位置であっても、合流部での球詰りを回避しパチンコ球の合流を促すことができる。実施例において、球崩し装置８２は整流路７８と補助通路７９とを跨ぐように設けられた取付枠Ｔに形成された長溝１２１にモータ８５を移動自在に設けて、位置調整可能としている。整流板８４は、パチンコ球と接触する板面部８４ａを整流路７８の底面９８ｂとほぼ平行な平坦面として形成し、前記整流路７８と補助通路７９の合流部の上方を覆うように設けられ、整流路７８の底面９８ｂとほぼ平行な仮想天井面内で回転するようにしている。特に、段状に形成された補助通路７９のパチンコ球が整流路７８を流下するパチンコ球に合流する際に、モータ８５の駆動により回転する整流板８４の板面部８４ａにパチンコ球が接触して、補助通路７９のパチンコ球の合流を促すと共にバランスがとれそうになる状態を崩す作用が働くことになる。このとき、パチンコ球に接触する板面部８４ａがほぼ平坦面に形成されており、常に同一面内で回転するため、板面部８４ａにパチンコ球が接触しても強制的にパチンコ球を移動させることがないので、バランスを自然的に崩すことができる。このように、前記整流路７８と補助通路７９の合流部の上方に球崩し装置８２を設けることにより、球詰りを起こすことがないため、従来球タンクの下方に球誘導樋を設けたものに比して、該球誘導樋を１０ｍｍ程度上方に移動させることができ、球タンクと球誘導樋の間隔を狭くして開口窓４３を広くすることができ、それに伴って可変表示装置１５等を大型化することができる。なお、ここで天井面を仮想としたが、実際に整流路７８と補助通路７９との上面を覆うように上側壁９８ａを設けるようにしてもよく、該上側壁９８ａに整流板８４を臨ませて上側壁面内で可動させるようにすればよい。このとき、モータ８５を該上側壁９８ａに設けるようにすればよい。また、パチンコ球の流下状態によっては、モータ８５を取着しているビスを緩めて長孔１２１の範囲内で移動させ、最適な状態に調整することができる。なお、モータ８５の取付けビスの一方を支点として他方を円弧状の長孔１２１内を移動自在とするようにして、整流板８４を円弧状に移動調整するようにしてもよい。また、長孔１２１を介すことなくモータ８５の取着部を複数箇所に設け、移動させるようにしてもよい。なお、整流板８４を前記整流路７８と補助通路７９の合流部近傍の下側壁９８ｂ又は前後側壁９８ｃ，９８ｄに臨ませて設けても、同様の効果を奏することができる。
【００４３】
また、図２０は供給通路８１を複数とした球誘導樋４６に球崩し装置８２を設けた実施例を示し、前記実施例と同じ構成には同一符号を付して説明する。球誘導樋４６は、上面を開放した三側壁９８ｂ〜９８ｄで形成され、上流側をパチンコ球が複列でランダムに流下し得る幅員（図上３６ｍｍ）を有すると共に仕切壁１０５により複数条に区画して、パチンコ球が単列又は半複列で流下する幅員としている。そして、前記仕切壁１０５の一部を切欠きして下側壁９８ｂの開口から整流板８４を臨ませ、モータ８５の駆動により該仕切壁１０５の壁面内で整流板８４が可動するようにして、略平坦面に形成された板面部８４ａの両面が供給通路８１のパチンコ球と接触するようにしている。また、前記整流板８４は、周縁を先鋭として、該先鋭部で供給通路８１を流下するパチンコ球をいずれかの供給通路８１ａ，８１ｂに振り分けるようにするのが好ましい。このように、整流板８４を仕切壁１０５に臨ませ可動させることで、仕切壁１０５を起因とする球詰りの発生を未然に防ぐことができる。なお、実施例において、仕切壁１０５の始端部に整流板８４を臨ませるようにしたが、仕切壁１０５の中間に臨ませるようにしてもよく、好ましくは前記供給通路８１の高さ又は幅員が漸次狭まる部位に設けるのがよい。また、図上整流板８４を下側壁９８ｂの開口から臨むようにしたが、供給通路８１に上側壁９８ａを設けて該上側壁９８ａから整流板８４を仕切壁１０５に臨ませるようにしてもよい。
【００４４】
なお、球崩し装置８２を設ける位置は限定されるものではなく、好ましくは球詰りが発生しやすい球通路の高さ又は幅員が減少する部位に設けるのがよく、さらに球崩し装置８２を位置調整可能に着脱又は移動自在に設けるのが好ましい。このとき、球崩し装置８２の取着個所を予め複数箇所に設けたり、取着部に長孔を形成して球崩し装置８２の取着ビス等を緩めて移動し得るようにするのがよい。また、球崩し装置８２は位置を違えて複数設けるようにしてもよいのはいうまでもなく、球通路の上側壁９８ａに限ることなく側壁９８ｃ，９８ｄ及び下側壁９８ｂに設けるようにしてもよい。例えば、球均し装置８２を下側壁９８ｂ面に設ける場合には、図２１に示すように球タンク４５の球導出口７４の下方及びその近傍に位置する球誘導樋４６の供給通路８１の下側壁９８ｂに開設した開口１０６から整流板８４の板面部８４ａが下側壁９８ｂ面とほぼ同一面となるように臨ませ、電気的駆動源としてのモータ８５により回動させるようにしてもよい。このとき、球導出口７４の下方に位置する供給通路８１は、パチンコ球がランダムな状態で落下し、非整列状態で流下する状態にある。この際、球誘導樋４６を正面視して整流板８４を介して板面部８４ａが、下流に向って段状に低くなる段差を設けるように配設するようにしてもよく、この段差により球崩しが行われやすくなる。また、整流板８４を円柱状又はドーム状に形成し、該整流板８４を下側壁９８ｂより供給通路８１内に突入させるようにしてもよく、このとき整流板８４の側面と供給通路８１の前後側壁９８ｃ，９８ｄとの間隔をパチンコ球１個以上の隙間を設けることで、パチンコ球をその場で自転又は整流板８４の周囲を回転させ球崩しさせることができる。好ましくは、供給通路８１のコーナー部を湾曲状に形成して、パチンコ球が溜まらないようにするのがよい。また、図上整流板８４全体が球導出口７４のほぼ直下となるように設けたが、整流板８４を上下流方向にずらして、整流板８４の板面部８４ａの一部が球導出口７４から落下するパチンコ球に直接接触し得るようにすればよい。
【００４５】
さらに、図１２及び図１３に示した球タンク４５の下流底部７２ａに相当するように、整流板８４を下側壁９８ｂから傘状に供給通路８１内に臨ませ、該整流板８４の下面にもパチンコ球が流入し得るようにして、整流板８４の上下板面部８４ａにパチンコ球が接触するようにしてもよい。また、整流板８４を上下に設けたボビン型として、一方の整流板８４を前記下流底部７２ａの役割を兼用させるように位置させ、他方の整流板８４を下側壁９８ｂとほぼ同一面内に臨ませ、上下の整流板８４によって球導出口７４近傍のパチンコ球と干渉させて、球導出口７４での球詰りを防止するようにしてもよい。このとき、パチンコ球と接触する板面部８４ａはほぼ平坦面に形成されており、パチンコ球を強制的に移動させることはない。なお、前記上下に設けた整流板８４の回転方向をギア等により互いに逆方向に回転させるようにしてもよい。
【００４６】
なお、図２１に示すように、球誘導樋４６の上流部に球導出口７４の上流端より上流となるように、パチンコ球が自由に遊動し得る空間部Ｋを設けて、パチンコ球に過大に球圧がかかった際に、該球圧を前記空間部Ｋに逃がすようにするのが好ましい。さらに、供給通路８１の上流端壁を移動自在に設けて、前記空間部Ｋの領域を任意で変更できるようにするのがよい。このとき、例えば前後側壁９８ｃ，９８ｄ及び下側壁９８ｂを予め球タンク４５の球導出口７４端部より上流側に長めに形成すると共に、前後側壁９８ｃ，９８ｄに長孔を形成して、上流端壁を該前後側壁９８ｃ，９８ｄを跨ぐように設けた取着片を前記長孔に移動自在に取着し、球圧に応じて前記上流端壁を移動させるようにすればよい。
【００４７】
図２２及び図２３は、球崩し装置８２を球タンク４５に設けた実施例を示し、この実施例の球タンク４５は前記実施例の球タンクとは異なり、単に貯留部を備えた球タンクであり、球導出口７４がパチンコ遊技機の裏面からみて右方に位置し、該球タンク７４自体も機構板１０の右角に位置して設けられる。前記球導出口７４は複数のパチンコ球が落下し得る大きさであり、実施例においてパチンコ球が同時に２個落下し得る約２０×３０ｍｍの大きさに設定している。そして、球導出口７４の開口端部に球崩し装置８２を設けて、モータ８５で回動する円盤状の整流板８４を球タンク４５の下流部側壁４５ｃの凹部開口に臨ませて設けている。前記球導出口７４の下端には、上流部が前記整流板８４の周面に沿うように湾曲させた球誘導樋４６を錘直状に連通させている。実施例において、前記整流板８４は軸支部に該整流板８４より小径の円柱状の突出部１０７を球導出口７４の開口端に位置して設けて、球導出口７４から流出するパチンコ球が整流板８４の板面部８４ａ及び突出部１０７の周面に接触するようにしており、該球導出口７４での球詰りを防止するようにしている。このとき、板面部８４ａが平坦面でありかつ突出部１０７の周面にも凹凸がなく滑らかなのでパチンコ球が強制的に運ばれることがなく、整流板８４が空回りした状態となるので、整流板８４を制御基板により正逆回転又は高速で回転させるようにしても何等問題はない。このため、減速ギア等により減速させる必要がなくモータの構造が簡単な安価なモータ８５を使用することができる。したがって、球払出装置４７の払出時のみならず、整流板８４を常時回転させることも可能である。なお、球導出口７４の大きさは実施例の大きさに限定されることなく、例えば同時に６個落下し得る約２４×３６ｍｍの大きさにして、該球導出口７４に連通する球誘導樋８４を整流板８４の範囲内で漸次狭めるようにすればよい。したがって、整流板８４の大きさによって、球導出口７４の大きさも任意に変更すればよい。また、前記球導出口７４に球圧が一気にかからないように、該球導出口７４の上面に臨むように球圧規制板を設けるのが好ましい。また、球タンク４５の底壁の傾斜を異ならせる等により球導出口７４の開口端の高さ位置をずらして球圧が一気に球導出口７４にかからないように分散させるようにするのが好ましく、その高低差はパチンコ球の半球〜１球程度がよい。なお、前記突出部１０７は必ずしも設けなければならないものではなく、ほぼ平坦面に形成される板面部８４ａのみを球タンク４５内に臨ませるものであってもよい。また、整流板８４の板面部８４ａを緩やかな凸状又は凹状の湾曲状としたり、板面部８４ａにパチンコ球を強制的に流下させない程度に浅い凹溝を１〜２本程度設けるようにしてもよい。また、球導出口７４の開口端部に球崩し装置８２を設けることで、球導出口７４からパチンコ球を整流して流出させることが可能となり、該球導出口７４の下端に球払出装置４７を直接設けることもできる。
【００４８】
上記した実施例において、整流板８４に電気的駆動源としてのモータ８５を直結するようにしたが、設置個所又は回転速度によって、整流板８４とモータ８５とをギア又はベルトにより連繋させるようにしてもよい。さらに、傘歯車等のギアを介して球通路の隣合う側壁に整流板８４を臨ませて回動させるようにすることも可能であり、球通路の２面乃至４面同時に整流板８４を可動させることができ、より球詰り等を発生しにくくすることができる。また、正逆モータ８５に固設した螺軸に整流板８４を連繋して該整流板８４を摺動させるようにしてもよい。
【００４９】
図２４は、整流板８４を電気的駆動源としてソレノイドによって可動させるようにした実施例を示している。前記実施例と同じ構成には同一符号を付して説明する。この実施例において、整流板８４は球通路としての球誘導樋４６の上側壁９８ａの開口に臨んで設けられ、一端をソレノイド１１０のプランジャ１１１に連繋して該ソレノイド１１０の駆動により上側壁９８ａ面内でパチンコ球の流下方向に往復動するようにしている。前記供給通路８１は、パチンコ球が単列又は半複列で流下し得る幅員を有すると共にパチンコ球が積み重なって流下する高さを有し、前記整流板８４が供給通路８１に対して約１０°の下向き傾斜で設けられている。このとき、整流板８４はガイド枠１１２によりスライド方向を規制された状態で往復動するようにしている。そして、ソレノイド１１０を励磁すると、図２４鎖線に示すようにガイド枠１１２に沿って整流板８４が上流側に牽引され、消磁するとスプリング１１３の付勢により整流板８４が下流側に戻される。このとき、供給通路８１を流下するパチンコ球のバランスがとれて球詰りを起こしそうになっても、パチンコ球が接触する整流板８４の板面部８４ａがほぼ平坦面に形成され、しかも整流板８４が平坦面とほぼ平行な同一面内で可動することで、パチンコ球を強引にずらすことがなくパチンコ球が噛合うこともなく、パチンコ球のバランスが崩れ球詰りを発生させることはない。なお、ソレノイド１１０を励磁させるタイミングは、球払出装置４５の作動時であっても所定時間毎に定期的であってもよく、作動回数も限定されるものではなく、任意に設定すればよい。また、整流板８４の可動方向は、上記実施例に限定されることなく、整流板８４の一端を軸支して上側壁９８ａ面内で回動させるようにしても、整流板８４をパチンコ球の流下方向と直交する方向に可動するように設けるようにしてもよい。図上、整流板８４を上側壁９８ａの開口に臨んで設けているが、上側壁９８ａを設けることなく球誘導樋４６の前後側壁９８ｃ，９８ｄに支持させて設けるようにしてもよく、このときソレノイド１１０は、球誘導樋４６の前後側壁９８ｃ，９８ｄに設けるようにすればよい。
【００５０】
また、回転自在に設けた整流板８４とスライド自在に設けた整流板８４とを組合わせるようにしてもよく、例えば楕円又は偏心した整流板８４をモータ８５により回転自在に設け、該回転整流板８４の周縁と接触し摺動し得るように他方の整流板８４をスライド自在設け、前記回転整流板８４を回転させることで他方のスライド整流板８４を摺動させることができる。好ましくは、スライド整流板８４を回転整流板８４側に付勢するスプリング等の付勢部材を介在させて、確実にスライド整流板８４と回転整流板８４の周縁が接触し得るようにするのがよい。
【００５１】
上記したように、整流板８４のほぼ平坦面に形成された板面部８４ａでパチンコ球と接触するようにしたので、該板面部８４ａがパチンコ球と接触しても無理なく回転又はスライドし、従来のようにモータを使用したスプロケットのようにパチンコ球を掻き回すことがないため、パチンコ球が勢いで弾かれて落下したり、スプロケットが強制的に送り込むように回転するためモータに負荷がかかりスプロケット又はモータを破損させたりすることはない。
【００５２】
また、前記球払出装置４７の盲動防止装置９９は、前記実施例に限定されるものではなく、例えばモータ（ステッピングモータ）を盲動防止装置として利用するようにしてもよい。このとき、モータは、残留トルク（モータを無励磁の状態で各リード端子を開放し、出力軸に外部よりトルクを加え角度変位を与えたときに発生する最大トルク）がパチンコ球数個で払出回転体８８が自重回転し得る大きさ（例えば２２ｇ・ｃｍ以下）とし、しかも回転トルクはパチンコ球数個を払出回転体８８で支持した状態で該払出回転体８８を回転し得る大きさ（例えば２４．５ｇ・ｃｍ以上）であればよい。通常トルクの強いモータ（例えばトルクが２００ｇ・ｃｍ）で払出回転体８８を回転させると、駆動時に払出回転体８８によってパチンコ球を強制的に弾き出す作用が働くために、払出されたパチンコ球の検出時の波形が乱れてノイズと誤認されやすくなるが、前記した残留トルクの弱いモータを使用することで、モータを回転させることなくパチンコ球の球荷重により払出回転体８８を回転させることができる。また、該モータは払出回転体８８の最初の回転のきっかけを与えるように使用してもよい。このようなモータを設けることで、該払出回転体８８が次第に加速してきたとしても、モータの残留トルクによる抵抗によってブレーキがかかった状態となり、払出回転体８８の盲動を防止することができる。また、モータに通電して一部のコイルを励磁させることでブレーキとして使用するようにしてもよく、具体的には所定個数（例えば２５個）払出される数個手前で２０〜１００ｍｓの短い時間励磁させて、払出回転体８８の回転にブレーキをかけるのがよい。さらに、任意の間隔で励磁させて徐々に回転を遅くするようにしてもよく、このとき励磁させる時間を任意に変化させるようにしてもよい。なお、残留トルクが弱いモータであれば、所定個数の払出しが終わるまで励磁させるようにしてもよい。また、例えば貸球を５００円分（パチンコ球１２５個）を自重回転により払出す球払出装置によって連続的に払出す際には、従来は所定個数（２５個）毎にソレノイドを消磁して払出回転体８８を停止させて連続的に払出すようにしていたが、所定個数毎にモータを励磁させブレーキをかけて払出回転体８８の回転スピードを緩めることで、球誘導樋４６のパチンコ球の供給も追いつくことができ、球間が空くことによる不具合を防止することができる。また、前記モータを永久磁石を用いたものとした場合には、端子を短絡させるだけでもブレーキ作用を生じさせることができる。好ましくは、可変抵抗器を介在させることでブレーキ作用の程度を任意に調整することができる。
【００５３】
また、払出回転体８８の凸歯９３から凹歯９２かけての低減率が低い巴形状として、自重回転し得る回転速度を遅くすると共に、モータの回転を付加するようにしてもよい。このとき、払出回転体８８を僅かながらも巴形状とすることで球圧により払出回転体８８が回転し得るため、モータの始動時の回転トルクはそれほど必要ではなく、例えばステッピングモータを定格電圧より低い５〜９Ｖ程度（好ましくは７Ｖ程度）の通電で十分始動時の回転トルクが得られ、払出回転体８８を回転させてパチンコ球を払出すことができる。また、払出回転体８８の回転停止時においても、例えばモータに７Ｖを通電して１相励磁することで確実に払出回転体８８を停止保持することができ、しかも通電状態を持続してもモータは４５度前後にしか発熱せず、過熱により合成樹脂が溶融したり火災を引き起こしたりすることもない。なお、７Ｖで２相励磁してもモータの過熱は５５度程度である。また、払出回転体８８の始動時は２６０ｐｐｓ程度の低速回転として、漸次３００ｐｐｓを超す高速回転とするのが好ましい。というのも、払出回転体８８を一気に高速回転にしようとすると、パチンコ球を強引に咥え込んで払出すことになるため、センサでの検知に乱れが生じノイズとの区別がつかず正確な検知判断ができなくなるおそれがあるからである。このように、自重で払出すことができる払出回転体をモータにより回転させることで、自重回転による加速の不具合とモータ回転による強引な払出しの不具合を互いに補い合い、最適な状態で払出すことができる。
【００５４】
なお、前記球払出装置は実施例に限定されるものではなく、例えば図２５に示すように前記球払出装置４７の払出回転体８８に替えて、前記球通路８７に進退自在に臨み最先のパチンコ球を制御支持する先端円弧面の払出制御体１１５をソレノイド１１６の励磁により球通路８７に進退させ、前記払出制御体１１５の上方に位置して鉛直面内で球荷重により回動する回転規制体１１７を回動自在に設け、球通路８７を流下するパチンコ球の流速を制御すると共に、所定間隔をもって払出制御体１１５に導くようにしている。そして、前記回転規制体１１７と同軸上に前記盲動防止装置９９を設けるようにしている。なお、球通路８７は複列としてもよく、このとき、払出制御体１１５はそれぞれの球通路８７に臨む二股形状とし、前記回転規制体１１７は半ピッチずらして設けるのがよい。好ましくは、相対する球通路８７のパチンコ球との間隔を大きくするために、図上５個所とした凹凸部を４個所とするのがよい。そして、いずれか一方の球通路８７に臨む払出制御体１１５に最先のパチンコ球が凸部に支持されることになり、他方の球通路８７の最先のパチンコ球は回転規制体１１７の凹部に咥えられた状態にある。そして、ソレノイド１１６を励磁させると、最先のパチンコ球が払出制御体１１５の支持から外れて払出されると共に回転規制体１１７が球荷重により回転して、所定個数のパチンコ球がセンサによって検出されるまで払出される。このとき、回転規制体１１７は次第に加速がつくが、前記盲動防止装置９９により適宜ブレーキがかけられて、球切れすることなく確実な払出しが可能となる。当然１個ずつの払出しにも対応することができる。
【００５５】
さらに、払出制御体１１５の上方に所定個数（例えば７５個）のパチンコ球を球通路８７に貯留した位置に該払出制御体１１５と同様に作用する球止制御体を設けるようにして、所定個数以上の球荷重が下方の払出制御体１１５にかからないようにしてもよい。なお、前記したように球通路８７を複列として所定個数を例えば７５個とした場合には、それぞれの球通路８７に貯留されるパチンコ球の個数が３７個と３８個と異なるため、３８個側の球通路８７を屈曲させることによって１個分のずれを吸収させるようにして、それぞれの球通路８７に設けられる払出制御体１１５と球止制御体の上端位置と下端位置とを一致させるのがよい。この球払出装置４７の作用は、所定個数（例えば７５個）以内の払出しであれば払出制御体１１５を作動させ、払出し終了後に上方の球止制御体を所定個数のパチンコ球が払出制御体１１５と球止制御体間に貯留されるまで作動させる。また、所定個数以上の払出しをする場合には、払出制御体１１５と同時に球止制御体を作動するようにすればよい。なお、上部に球止制御体を設けて球圧を受ける場合には、図２５に示したように、球誘導樋４６の供給通路８１を蛇行させることなくほぼ直線状としてもよい。
【００５６】
なお、実施例において球崩し装置８２を球タンク４５又は該球タンク４５のパチンコ球を球払出装置４７に導く球誘導樋４６に設けるようにしたが、球崩し装置８２を入賞球集合樋５１に設けるようにして入賞球を整列して排出するようにしてもよい。また、打球供給皿７に貯留されるパチンコ球を整流する整流部に該球崩し装置８２を設け、整流部の一側に整流板８４の板面部８４ａを臨ませるようにしてもよい。
【図面の簡単な説明】
【００５７】
【図１】パチンコ遊技機の正面図である。
【図２】パチンコ遊技機の裏面図である。
【図３】前面枠を機枠から開放した状態のパチンコ遊技機の斜視図である。
【図４】前面枠を開放して遊技盤を取外した状態のパチンコ遊技機の斜視図である。
【図５】前面枠の要部裏面斜視図である。
【図６】前面枠の施錠装置側の要部裏面斜視図である。
【図７】機構板の取付けを示す要部側断面図である。
【図８】施錠装置の分解斜視図である。
【図９】施錠装置部分の要部平断面図である。
【図１０】機構板の係止状態を示す要部側断面図である。
【図１１】ヒンジ具の分解斜視図である。
【図１２】球タンクの平面図である。
【図１３】球タンクの正面断面図である。
【図１４】球誘導樋の要部断面図である。
【図１５】（イ）は図１４の平面図であり、（ロ）は平断面図である。
【図１６】屈曲樋及び球払出装置の側断面図である。
【図１７】盲動防止装置の側断面図である。
【図１８】盲動防止装置の他の実施例の平断面図である。
【図１９】（イ），（ロ）球崩し装置の他の実施例の平面図及び平断面図である。
【図２０】球崩し装置のさらに他の実施例の平面図である。
【図２１】球崩し装置のさらに他の実施例の正面断面図である。
【図２２】球崩し装置のさらに他の実施例の要部平面図である。
【図２３】図２２の側断面図である。
【図２４】（イ）は球崩し装置のさらに他の実施例の要部正面断面図であり、（ロ）は（イ）の平面図である。
【図２５】球払出装置の他の実施例の側断面図である。
【符号の説明】
【００５８】
４５              球タンク
４５ｃ            下流部側壁
４６              球誘導樋
４７              球払出装置
５１              入賞球集合樋（球通路）
７４              球導出口
７８              整流路（球通路）
７９              補助通路
８１              供給通路（球通路）
８２              球整流装置
８４              整流板
８４ａ            板面部
８５              モータ（電気的駆動源）
９８ａ〜９８ｄ    側壁
１０５            仕切壁
１１０            ソレノイド（電気的駆動源）
【図１】
2005185762.tif 000003
【図２】
2005185762.tif 000004
【図３】
2005185762.tif 000005
【図４】
2005185762.tif 000006
【図５】
2005185762.tif 000007
【図６】
2005185762.tif 000008
【図７】
2005185762.tif 000009
【図８】
2005185762.tif 000010
【図９】
2005185762.tif 000011
【図１０】
2005185762.tif 000012
【図１１】
2005185762.tif 000013
【図１２】
2005185762.tif 000014
【図１３】
2005185762.tif 000015
【図１４】
2005185762.tif 000016
【図１５】
2005185762.tif 000017
【図１６】
2005185762.tif 000018
【図１７】
2005185762.tif 000019
【図１８】
2005185762.tif 000020
【図１９】
2005185762.tif 000021
【図２０】
2005185762.tif 000022
【図２１】
2005185762.tif 000023
【図２２】
2005185762.tif 000024
【図２３】
2005185762.tif 000025
【図２４】
2005185762.tif 000026
【図２５】
2005185762.tif 000027